(57)【特許請求の範囲】
【請求項１】
載置台の上面に飾り層を展開して載置した後、該飾り層の上面に接着剤を貼着し、次に、直線状に保持することができるよう中心部の孔に芯線を挿入させた紐を前記飾り層の上面に載せ、前記紐を直線状に保持したまま紐の外周面に飾り層を巻き付け接着することを特徴とする装飾紐の製造方法。
【請求項２】
請求項１において、展開された飾り層の一側上面に前記紐を載せて該紐を回転させながら紐の外周面に飾り層を接着するようにした装飾紐の製造方法。
【請求項３】
請求項１又は２において、両面接着テープの下面側の遮蔽シートを剥離して該接着テープ本体の下面側の接着層を展開状態の飾り層の上面に接着し、次に、接着テープ本体の上面側の遮蔽シートを剥離した後、前記紐を接着テープ本体の上面側の接着層に接着し、その後、飾り層を紐の外周面に接着するようにした装飾紐の製造方法。
【請求項４】
請求項１〜３のいずれかにおいて、載置台は飾り布の下面との接触摩擦抵抗を大きくする材料により形成され、紐の外周面に飾り層を巻き付け接着する際、載置台上で飾り布が滑らないようにする装飾紐の製造方法。
【発明の詳細な説明】
【０００１】
【発明の属する技術分野】
この発明は、装飾紐の製造方法に関し、さらに詳しくは紐の外周面に飾り層を巻き付け接着した装飾紐の製造方法に関するものである。
【０００２】
【従来の技術】
従来、紐を使った例えば花瓶敷や鍋敷あるいはペンダント等は紐それ自体を渦巻状に巻き付け接着するようにしたり、所望する形状に折り曲げて接着したりしていた。
【０００３】
【発明が解決しようとする課題】
ところが、上記従来の装飾紐は、既製の紐をそのまま用いているので、紐自体が有するデザイン以外の各種のデザインの物品を製造することができないという問題があった。
【０００４】
この発明の目的は上記従来の技術に存する問題点を解消して、デザインの優れた商品価値のある物品を製造することができる装飾紐の製造方法を提供することにある。
【０００５】
【課題を解決するための手段】
上記の目的を達成するために、請求項１に記載の発明では、載置台の上面に飾り層を展開して載置した後、該飾り層の上面に接着剤を貼着し、次に、直線状に保持することができるよう中心部の孔に芯線を挿入させた紐を前記飾り層の上面に載せ、前記紐を直線状に保持したまま紐の外周面に飾り層を巻き付け接着するようにしている。
【０００８】
請求項２に記載の発明では、請求項１において、展開された飾り層の一側上面に前記紐を載せて該紐を回転させながら紐の外周面に飾り層を接着するようにしている。
【０００９】
請求項３に記載の発明では、請求項１又は２において、両面接着テープの下面側の遮蔽シートを剥離して該接着テープ本体の下面側の接着層を展開状態の飾り層の上面に接着し、次に、接着テープ本体の上面側の遮蔽シートを剥離した後、前記紐を接着テープ本体の上面側の接着層に接着し、その後、飾り層を紐の外周面に接着するようにしている。
【００１０】
請求項４に記載の発明では、請求項１〜３のいずれかにおいて、載置台は飾り布の下面との接触摩擦抵抗を大きくする材料により形成され、紐の外周面に飾り層を巻き付け接着する際、載置台上で飾り布が滑らないようにしている。
【００１１】
【発明の実施の形態】
以下、この発明を具体化した一実施形態を図１〜図４に基づいて説明する。
最初に、図１により装飾紐の製造方法に用いられる器具と、装飾紐の素材について説明する。
【００１２】
図１の符号１１は長方形をなす合成樹脂製の載置台であって、載置台１１の上面側にはゴム製の滑り防止プレート１２が接着されている。この滑り防止プレート１２は表面が粗面となっていて、載置された布地との接触摩擦抵抗が大きくなり布地が滑りにくくなっている。
【００１３】
１３は綿繊維あるいはナイロン繊維を撚り合わせた糸を交互に編成して形成した可撓性を有する紐であって、その中心部には孔１３ａが全長に亘って形成されている。なお、この紐は広く市販されているものを用いるとよい。
【００１４】
１４は前記紐１３の孔１３ａに挿入される芯線であって、前記紐１３の孔１３ａに芯線１４を挿通することにより、紐１３を直線状に保持することができる。この芯線１４の材質は鉄であっても、その他の金属材であっても、樹脂材であってもよい。
【００１５】
１５は前記紐１３の外周面に接着される飾り層を形成する飾り布であって、この飾り布１５には所望する形状のデザイン、例えば図１のように斜線を交互に平行に形成し、その菱形の枠内の色彩を変化させた模様が施されている。
【００１６】
１６は前記紐１３と飾り布１５を接着するための両面接着テープであって、樹脂製の接着テープ本体１７と、その上下両面に接着された接着層１８，１９と、接着層１８，１９を遮蔽する上部及び下部の遮蔽シート２０，２１とにより構成されている。
【００１７】
次に、前記のように構成した器具及び素材を用いて装飾紐を製造する方法を図２〜図４に基づいて説明する。なお、図２（ａ）〜（ｄ）においては各部材１３、１５、１６等を模式的に表している。
【００１８】
図２（ａ）に示すように、載置台１１の滑り防止プレート１２の上面に前記飾り布１５をその表面側が下となるように載置する。
次に、この飾り布１５の上面に対し両面接着テープ１６の下方の遮蔽シート２１を剥離した状態で、図２（ｂ）に示すように、該接着テープ１６の下側の接着層１９を飾り布１５の上面に接着する。
【００１９】
その後、前記両面接着テープ１６の上部の遮蔽シート２０を図２（ｃ）に示すように剥離した状態で、芯線１４を挿通した紐１３を両面接着テープ１６の上部の接着層１８の一側縁に載置して接着する（この状態を図３の斜視図に示す）。この状態において、図２（ｃ）、図２（ｄ）に示すように紐１３を矢印方向に回転することにより、紐１３の外周面に両面接着テープ１６により飾り布１５が巻付接着される。
【００２０】
このようにして得られた装飾紐２２には、図４に示すように紐１３の外周面に飾り布１５が円筒状に接着されるので、その外周面のデザインを所望する形状とすることができる。
【００２１】
次に、前記のように構成した装飾紐２２及びその製造方法の作用効果を説明する。
（１）前記実施形態では、可撓性を有する紐１３の外周面に接着テープ１６により飾り布１５を接着したので、装飾紐として所望するデザインを得ることができ、装飾紐２２を用いた後述する各種の物品のデザイン的価値を向上することができる。
【００２２】
（２）前記実施形態では、紐１３の中心部に金属製の芯線１４を挿通したので、装飾紐２２の製造の際、紐がうねることはなく、紐を回転して飾り布１５を接着する作業を安定して行うことができる。又、装飾紐２２を用いた後述する各種の物品の製造時の型くずれを防止することができる。
【００２３】
（３）前記実施形態では、紐１３の外周面と飾り布１５の内周面を両面接着テープ１６により接着しているので、接着剤を塗布した装飾紐２２と比較して、製造を容易に行うことができる。
【００２４】
（４）前記実施形態では、前記飾り層として飾り布を用いたので、装飾紐２２の外観を布地独特の柔らかなものにすることができる。
（５）前記実施形態においては、紐１３の孔１３ａに芯線１４を挿通した状態で飾り布１５の上面に両面接着テープ１６を接着し、この両面接着テープ１６の上面に紐１３を載せて回転することにより紐１３の外周面に飾り布１５を巻付接着するようにした。このため、紐１３を直線状に保持したまま該紐１３に飾り布１５を巻き付け接着することができる。
【００２５】
（６）前記実施形態では滑り防止プレート１２の上面に飾り布１５を載置するようにしたので、巻き付け接着時に飾り布１５が位置ずれを起こすことを防止でき、巻き付け接着作業をスムーズに行うことができる。
【００２６】
次に、この発明の別の実施形態を図５及び図６に基づいて説明する。
図５に示す載置台１１及び滑り防止プレート１２は半円筒（樋）状に形成されており、該滑り防止プレート１２の内周面に飾り布１５を円弧状に湾曲して載置する。
【００２７】
次に、この飾り布１５の中央部に前述したように両面接着テープ１６を接着し、さらに、前記両面接着テープ１６の中央部に紐１３を載置する。そして、図６に示すように飾り布１５の左右両側を両面接着テープ１６とともに紐１３の外周面に接着しながら巻き起こし、飾り布１５の左右両端縁部を紐１３の上端部において突き合わせるようにして接触し接着を完了する。
【００２８】
この装飾紐２２の製造方法は、その径が比較的大きい例えば２０ｍｍ以上の場合に効果がある。
次に、前記のように形成した装飾紐２２を用いて、例えば花瓶敷を製造するための製造用器具及び該器具を用いた花瓶敷の製造方法を、図７〜図１１について説明する。
【００２９】
図７は例えば花瓶敷の製造方法に用いられる器具であって、取付プレート３１の上面に姿勢保持ピン３２を多数箇所に放射状に植設している。これらの姿勢保持ピン３２〜３２は、図８に示すように取付プレート３１の下面側から上向きに該プレート３１の雌ねじ孔３１ａに螺合され、所定のピッチで配列されている。
【００３０】
図９に示すように、芯線１４を挿通した装飾紐２２の端部を取付プレート３１の中心部の姿勢保持ピン３２に係止し、渦巻状に巻き付けていく。この時、装飾紐２２は図８に示すように姿勢保持ピン３２により位置規制されるので、巻き付けられた渦巻状の装飾紐２２が型崩れすることはない。
【００３１】
全ての装飾紐２２の巻き付け作業が終了した後、図１０に示すように装飾紐２２の上面側に接着剤３３を塗布するとともに、その上面に裏布地３４を接着する。そして、この裏布地３４の接着が終了した後、渦巻状に形成された花瓶敷３５を取付プレート３１の上面から引き離すことにより花瓶敷３５の製造が完了する。前記接着剤３３に代えて両面接着テープを用いてもよい。
【００３２】
前記実施形態では、紐１３に芯線１４を挿通したことにより、紐１３の花瓶敷３５の製造時における渦巻状の形状を姿勢保持ピン３２とともにより適正に保持することができる。従って、渦巻状に巻き付けた装飾紐２２を型崩れすることなく接着剤３３により裏布地３４を接着することができる。
【００３３】
前記芯線１４は装飾紐２２の製造終了後に取り除いても、取付プレート３１による花瓶敷３５の製造を円滑に行うことができる。
なお、この発明の前記実施形態は以下のように変更することもできる。
【００３４】
・可撓性を有する紐として、樹脂あるいはゴム等の紐を用いてもよい。
・飾り層として飾り布以外に樹脂テープ、金属箔、あるいは木の葉等を用いてもよい。
【００３５】
・両面接着テープに代えて、糊や通常の接着剤、瞬間接着剤等を用いてもよい。
【００３６】
・両面接着テープの構造として、布あるいは多孔性を有する樹脂シートに粘着性の接着剤を含浸させ、その表裏両面に遮蔽シートを接着したものを用いてもよい。
【００３７】
・載置台１１として、ゴムあるいは樹脂製の単体のものを用い、全体として湾曲するようにしてもい。
・図４に示す載置台１１を複数個直列に接続可能に構成してもよい。
【００３８】
前記実施形態から把握される請求項以外の技術的思想について、以下に説明する。
（１）飾り層を載置する載置面を粗面とした装飾紐の製造方法に用いられる載置台。
【００３９】
（２）上記（１）において、載置台１１の上面には、ゴムや樹脂等の摩擦抵抗の高い滑り防止プレート１２が設けられている装飾紐の製造方法に用いられる載置台。
【００４０】
（３）上記（１）又は（２）において、載置台１１は、樋状に形成されている装飾紐の製造方法に用いられる載置台。
この載置台は、紐１３に対する飾り層の接着作業を容易に行うことができる。
【００４１】
【発明の効果】
本発明は、以上のように構成されているため、以下のような効果を奏する。
【００４２】
請求項１〜４の装飾紐の製造方法の発明は、装飾紐の製造を容易に行うことができる。
【図面の簡単な説明】
【図１】  この発明の装飾紐の製造方法に用いられる器具と素材を示す斜視図。
【図２】  （ａ）〜（ｄ）は装飾紐の製造方法を説明する断面図。
【図３】  装飾紐の製造方法を説明する斜視図。
【図４】  装飾紐の部分斜視図。
【図５】  装飾紐の製造方法の別例を示す一部省略斜視図。
【図６】  装飾紐の製造方法の別例を示す断面図。
【図７】  装飾紐を用いた物品の製造に用いられる器具を示す斜視図。
【図８】  器具及び装飾紐の部分拡大断面図。
【図９】  装飾紐を用いた物品の製造方法を説明する平面図。
【図１０】  装飾紐を用いた物品の製造方法を説明する断面図。
【図１１】  物品の斜視図。
【符号の説明】
１１…載置台、１２…滑り防止プレート、１３…紐、１４…芯線、１５…飾り層としての飾り布、１６…両面接着テープ、１７…接着テープ本体、１８，１９…上部及び下部の接着層、２０，２１…上部及び下部の遮蔽シート、２２…装飾紐。
【図１】
0003739568.tif 000002
【図２】
0003739568.tif 000003
【図３】
0003739568.tif 000004
【図４】
0003739568.tif 000005
【図５】
0003739568.tif 000006
【図６】
0003739568.tif 000007
【図７】
0003739568.tif 000008
【図８】
0003739568.tif 000009
【図９】
0003739568.tif 000010
【図１０】
0003739568.tif 000011
【図１１】
0003739568.tif 000012